(57)【要約】【課題】バンパを車体側に固定したまま、バンパのランプ開口からヘッドランプを容易に取り出す。【解決手段】ランプ支持ブラケット４は、ヘッドランプ７の後面側のランプ外縁部７ａに沿う枠形状であってヘッドランプ７を後方から支持するランプ支持部２０を有し、車体側に固定される。締結部材３０，３１，３２，３３は、ヘッドランプ７をランプ支持ブラケット４に締結固定する。締結部材３０，３１，３２，３３は、ヘッドランプ７をランプ支持ブラケット４に固定し、且つバンパを車体側に固定した組付状態で、締結解除可能な位置に配置される。ランプ外縁部７ａの全域に沿う場合に比べてランプ支持部２０の内側領域２５が所定方向へ全体的に拡がるように、ランプ支持部２０の一部範囲であるブラケット拡張部２６が膨出してランプ外縁部７ａから離れている。【選択図】図４
2017030463.tif 000002
【特許請求の範囲】
【請求項１】
車体側に固定されるバンパのランプ開口からヘッドランプを前方に露出させて車体側に取付けるヘッドランプ取付構造であって、
前記ヘッドランプの後面側のランプ外縁部に沿う枠形状であって前記ヘッドランプを後方から支持するランプ支持部を有し、車体側に固定されるランプ支持ブラケットと、
前記ヘッドランプを前記ランプ支持ブラケットに締結固定する締結部材と、を備え、
前記締結部材は、前記ヘッドランプを前記ランプ支持ブラケットに固定し、且つ前記バンパを車体側に固定した組付状態で、締結解除可能な位置に配置され、
前記ランプ外縁部の全域に沿う場合に比べて前記ランプ支持部の内側領域が所定方向へ全体的に拡がるように、前記ランプ支持部の一部範囲が膨出して前記ランプ外縁部から離れている
ことを特徴とするヘッドランプ取付構造。
【発明の詳細な説明】
【技術分野】
【０００１】
本発明は、車両のヘッドランプ取付構造に関する。
【背景技術】
【０００２】
特許文献１には、ランプ支持ブラケットを介してヘッドランプをサイドメンバに固定する構造が記載されている。ランプ支持ブラケットは、サイドメンバに固定される内側ブラケットと、内側ブラケットから車幅方向外側に延びる外側ブラケットとを有する。外側ブラケットは、Ｕ状に曲折された棒状体であり、その両端部が内側ブラケットに固定される。内側ブラケットと外側ブラケットとには複数のボルト挿通孔が設けられ、ボルト挿通孔を挿通するボルトによって、ヘッドランプがランプ支持ブラケットに締結固定される。
【０００３】
ランプ支持ブラケットの外側ブラケットの車幅方向外端部には、バンパ支持ブラケットが固定され、バンパ支持ブラケットには、フロントバンパが締結固定される。フロントバンパにはヘッドランプを前方に露出させるランプ開口が形成される。
【０００４】
なお、特許文献１には、外側ブラケットのＵ状の内側領域の全域がヘッドランプの外周縁よりも内側に配置された状態が図示されている。
【先行技術文献】
【特許文献】
【０００５】
【特許文献１】特許第５５８２３９１号公報
【発明の概要】
【発明が解決しようとする課題】
【０００６】
上記従来の構造において、ヘッドランプ及びバンパを車体側に取付けた後に、メンテナンスや部品交換等のためヘッドランプを車体側から取外す必要が生じた場合、作業効率の向上のために、バンパを車体側から取外すことなく、ランプ開口からヘッドランプを取出すことが考えられる。この場合、ヘッドランプが容易に挿通可能な程度にランプ開口を大きく形成することは、外観上の見栄え等の理由から難しく、ヘッドランプをランプ開口から取出す際には、ヘッドランプの姿勢を適宜傾けながら取出す必要が生じる。
【０００７】
しかし、上記従来の構造では、外側ブラケットのＵ状の内側領域の全域がヘッドランプの外周縁よりも内側に配置されるので、ヘッドランプを取出すためにヘッドランプの姿勢を傾けるときにヘッドランプがランプ支持ブラケットと干渉し易く、ヘッドランプをランプ開口から容易に取り出すことができないおそれがある。
【０００８】
そこで、本発明は、バンパを車体側に固定したまま、バンパのランプ開口からヘッドランプを容易に取り出すことが可能なヘッドランプ取付構造の提供を目的とする。
【課題を解決するための手段】
【０００９】
上記目的を達成すべく、本発明は、車体側に固定されるバンパのランプ開口からヘッドランプを前方に露出させて車体側に取付けるヘッドランプ取付構造であって、ランプ支持ブラケットと締結部材とを備える。ランプ支持ブラケットは、ヘッドランプの後面側のランプ外縁部に沿う枠形状であってヘッドランプを後方から支持するランプ支持部を有し、車体側に固定される。ヘッドランプは、締結部材によってランプ支持ブラケットに締結固定される。
【００１０】
締結部材は、ヘッドランプをランプ支持ブラケットに固定し、且つバンパを車体側に固定した組付状態で、締結解除可能な位置に配置される。ランプ外縁部の全域に沿う場合に比べてランプ支持部の内側領域が所定方向へ全体的に拡がるように、ランプ支持部の一部範囲が膨出してランプ外縁部から離れている。
【００１１】
上記構成では、ヘッドランプを車体側に固定し、且つバンパを車体側に固定した組付状態において、メンテナンスや部品交換等のためにヘッドバンパを車体側から取外す必要が生じた場合、締結部材の締結を解除し、ランプ支持部の内側領域のうち膨出する一部範囲によって拡がった領域（拡大領域）に向かってヘッドランプの後面が移動するように、ヘッドランプの姿勢を適宜傾けながらランプ開口からヘッドランプを前方へ取り出す。
【００１２】
このように、拡大領域を利用してヘッドランプを傾けることができるので、ヘッドランプがランプ支持ブラケットに干渉し難く、ヘッドランプをランプ開口から容易に取り出すことができる。
【発明の効果】
【００１３】
本発明によれば、バンパを車体側に固定したまま、バンパのランプ開口からヘッドランプを容易に取出すことができる。
【図面の簡単な説明】
【００１４】
【図１】本発明のヘッドランプ取付構造を備えた車両の前端下部を前方から視た分解斜視図である。
【図２】図１の組付け後の要部を前方から視た外観斜視図である。
【図３】図２のバンパを外した状態を示す斜視図である。
【図４】図３のランプ支持ブラケットの斜視図である。
【図５】図２を後方から視た斜視図である。
【図６】図５の取付ブラケットをVI方向から視た側面図である。
【図７】図６のVII―VII矢視断面図である。
【発明を実施するための形態】
【００１５】
以下、本発明の一実施形態に係るランプ取付構造１について図面を参照して詳細に説明する。図中の矢印ＦＲは車両２の前方を、矢印ＵＰは上方を、矢印ＩＮは車幅内側をそれぞれ示す。また、以下の説明において、前後方向は車両２の前後方向、上下方向は車両２の上下方向、左右方向は車両２の前方を向いた状態での左右方向を意味する。なお、本実施形態のランプ取付構造１は、車両２の左右に対称的に設けられているため、以下では主に一側（右側）について説明し、他側（左側）についての説明を適宜省略する。
【００１６】
本実施形態に係る車両はキャブ（図示省略）が概ねエンジン（図示）よりも前方に位置するキャブオーバー型の車両である。
【００１７】
図１に示すように、車両２は、車体フレーム３としてサイドメンバ１０とクロスメンバ１１とを備える。サイドメンバ１０は、車幅方向の左右両側に配置されて前後方向に延びる。クロスメンバ１１は、左右のサイドメンバ１０の前端部同士を連結する。クロスメンバ１１の両端部は、サイドメンバ１０の前端部よりも車幅方向外側に突出する。
【００１８】
左右のサイドメンバ１０の前端部から車幅方向外側に突出したクロスメンバ１１の両端部の各々には、ランプ支持ブラケット４が固定される。ランプ支持ブラケット４には、ヘッドランプ７が固定され、ヘッドランプ７の下方には、補助ランプ１５が取付けられる。なお、図２〜図５では、補助ランプ１５の図示を省略している。
【００１９】
クロスメンバ１１の前面には、フロントバンパ（バンパ）８が固定される。フロントバンパ８は、バンパ外装パネル１２と、バンパ外装パネル１２の後面側に固着されてバンパ外装パネル１２を補強する板状のレインフォース（図示省略）とを有し、クロスメンバ１１の前方で車幅方向に沿って配置される。フロントバンパ８には、ヘッドランプ７及び補助ランプ１５を前方に露出させるランプ開口１３が形成されている。ランプ開口１３は、上開口領域１３ａと下開口領域１３ｂとに上下に分割され、上開口領域１３ａからヘッドランプ７が露出し、下開口領域１３ｂから補助ランプ１５が露出する。フロントバンパ８の開口周縁部１４の前面には、ヘッドランプ７及び補助ランプ１５とランプ開口１３との間隙を覆うためのベゼル９が取り付けられる（図２参照）。
【００２０】
図２〜図５に示すように、ランプ支持ブラケット４は、内側ブラケット５と外側ブラケット６とを備える。内側ブラケット５は、クロスメンバ１１に固定されて車幅方向外側へ延び、内側ブラケット５の車幅方向外端には、上下方向に延びる板状の内側ブラケット外端部５ａが一体形成される。内側ブラケット外端部５ａの上下高さは、ヘッドランプ７の後面の車幅方向内側の上下高さと略等しく設定される（図４参照）。外側ブラケット６は、Ｕ状に曲折された棒状であり、その両端部が内側ブラケット外端部５ａに固定されて車幅方向外側に延びる。内側ブラケット外端部５ａと外側ブラケット６とによって、枠形状のランプ支持部２０が形成される（図４参照）。
【００２１】
図４に示すように、外側ブラケット６は、上枠部２１と外縦枠部２２と下枠部２３と内縦枠部２４とを一体的に有する。上枠部２１は、内側ブラケット外端部５ａの上端部に固定されて車幅方向外側に直線状に延びる。外縦枠部２２は、上枠部２１の車幅方向外端から曲折して、内側ブラケット外端部５ａよりも下方へ延びる。下枠部２３は、外縦枠部２２の下端から曲折して車幅方向内側へ延びる。内縦枠部２４は、下枠部２３の車幅方向内端から曲折して上方へ延び、その先端部が内側ブラケット外端部５ａの下端部に固定される。
【００２２】
ランプ支持部２０のうち内側ブラケット外端部５ａと上枠部２１と外縦枠部２２の上部２２Ｕとは、ヘッドランプ７の後面の車幅方向内側と上側と車幅方向外側のランプ外縁部７ａに沿って配置される。一方、側枠部２２の下部２２Ｄと下枠部２３と内縦枠部２４とは、ヘッドランプ７の後面の下側のランプ外縁部７ａから下方へ離間して配置される。すなわち、ランプ支持部２０の一部範囲である側枠部２２の下部２２Ｄと下枠部２３と内縦枠部２４とは、ランプ支持部がランプ外周部７ａの全域に沿う場合に比べてランプ支持部２０の内側領域２５が下方へ全体的に拡がるように、下方へ膨出してランプ外縁部７ａから離れるブラケット拡張部２６となる。なお、内側領域２５を下方以外の方向（例えば上方等）に拡げるように、ランプ支持部２０の下部以外にブラケット拡張部を設定してもよい。
【００２３】
ヘッドランプ７はランプ支持ブラケット４に対して前方から組み付けられ、ランプ支持部２０はヘッドランプ７を後方から支持する。ヘッドランプ７の後面側は、複数箇所（本実施形態では４箇所）において、ランプ固定用の締結部材（ボルト及びナット）３０，３１，３２，３３によって、ランプ支持ブラケット４に防振材４１を介して締結固定される。固定される４箇所は、車幅方向内側の上部及び下部（内上部及内下部）と車幅方向外側の上部及び下部（外上部及び外下部）とである。ヘッドランプ７の後面側の内上部及び内下部は、内側ブラケット外端部５ａに締結部材３０，３１によって締結固定され、外上部は、上枠部２１に溶着等によって固定された上取付ブラケット３４に、締結部材３２によって締結固定される。上取付ブラケット３４は、上枠部２１から上方へ突出し、内側領域２５には突出しない。
【００２４】
ヘッドランプ７の後面側の外下部は、下固定ブラケット３５及び下取付ブラケット（ランプ取付ブラケット）３６を介して外縦枠部２２の上部２２Ｕに固定される。下固定ブラケット３５は、外縦枠部２２に固着されて後方へ突出し、内側領域２５には突出しない。図６及び図７に示すように、下取付ブラケット３６は、Ｕ状断面を有する板状部材であり、ブラケット前面部３７とブラケット後面部３８とブラケット側面部３９とを一体的に有する。ブラケット後面部３８は、ブラケット固定用の締結部材（第１の締結部材、ボルト及びナット）４０によって、上下二箇所で下固定ブラケット３５に締結固定される。係る状態で、ブラケット側面部３９は、ブラケット後面部３８の車幅方向外端縁から曲折して前方へ延び、ブラケット前面部３７は、ブラケット側面部３９の前端縁から車幅方向内側へ曲折して内側領域２５に位置する。ヘッドランプ７の後面側の外下部は、ブラケット前面部３７に締結部材（第２の締結部材）３３によって締結固定される。
【００２５】
締結部材３０，３１，３２，３３，４０は、何れも、ヘッドランプ７を車体側のランプ支持ブラケット４に固定し、且つフロントバンパ８を車体側のクロスメンバ１１に固定した組付状態で、フロントバンパ８を取外すことなく締結解除可能な位置に配置される。
【００２６】
ヘッドランプ７を車体側に固定し、且つフロントバンパ８を車体側に固定した組付状態において、メンテナンスや部品交換等のためにヘッドランプ７を車体側から取外す必要が生じた場合、ベゼル９をフロントバンパ８から取外し、フロントバンパ８を車体側に固定したまま、締結部材３０，３１，３２，３３，４０の締結を全て解除し、下取付ブラケット３６をランプ支持ブラケット４（外縦枠部２２の下固定ブラケット３５）及びヘッドランプ７から取外した後、ヘッドランプ７の姿勢を適宜傾けながらランプ開口１３（上側開口領域１３ａ）からヘッドランプ７を前方へ取出す。
【００２７】
このとき、ランプ支持部２０の内側領域２５に突出する下取付ブラケット３６を事前に取外しているので、ヘッドランプ７の姿勢を傾ける際にヘッドランプ７が下取付ブラケット３６と干渉することがなく、ヘッドランプ７をランプ開口１３から容易に取出すことができる。
【００２８】
また、ランプ支持部２０の内側領域２５のうちブラケット拡張部２６によって拡がった下部領域（拡大領域）を利用し、下部領域に向かってヘッドランプ７の後面が移動するようにヘッドランプ７の姿勢を適宜傾けることができるので、ヘッドランプ７がランプ支持ブラケット４に干渉し難く、ヘッドランプ７をランプ開口１３から容易に取り出すことができる。
【００２９】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論であることを付け加えておく。
【産業上の利用可能性】
【００３０】
本発明に係るヘッドランプ取付構造は、トラックや連結車等の大型車両を含む様々な車両に利用することができる。
【符号の説明】
【００３１】
１  ヘッドランプ取付構造
２  車両
３  フレーム
４  ランプ支持ブラケット
５  内側ブラケット
５ａ  内側ブラケット外端部
６  外側ブラケット
７  ヘッドランプ
７ａ  ランプ外縁部
８  フロントバンパ（バンパ）
９  ベゼル
１３  ランプ開口
１３ａ  上開口領域
１３ｂ  下開口領域
１５  補助ランプ
２０  ランプ支持部
２１  上枠部
２２  外縦枠部
２２Ｕ  外縦枠部の上部
２２Ｄ  外縦枠部の下部
２３  下枠部
２４  内縦枠部
２５  ランプ支持部の内側領域
２６  ブラケット拡張部（ランプ支持部の一部範囲）
３０，３１，３２  締結部材
３３  締結部材（第２の締結部材）
３４  上取付ブラケット
３５  下固定ブラケット
３６  下取付ブラケット（ランプ取付ブラケット）
４０  締結部材（第１の締結部材）
【図１】
2017030463.tif 000003
【図２】
2017030463.tif 000004
【図３】
2017030463.tif 000005
【図４】
2017030463.tif 000006
【図５】
2017030463.tif 000007
【図６】
2017030463.tif 000008
【図７】
2017030463.tif 000009